(57)【要約】【課題】  ネックウォーマーに更なる機能を付加し、多目的に使用することができる実用価値の高い製品の提供。【解決手段】  襟巻或いは擬似襟としても、ヘアバンド或いはイヤウォーマーとしても、帽子としても使用することができる多目的なネックウォーマーであって、上下が開口された全長に渡って略同一の径を有する筒状の本体を有し、該本体は、少なくとも開口部方向への伸縮性を有する材料からなり、且つ、該筒状の本体の少なくとも一方の輪状の開口端の近傍に、該開口端の全周に沿って連続した紐状の部材が移動可能な状態に設けられており、該紐状部材は、筒状の本体の開口径の大きさを維持でき、且つ該紐状部材によって輪状の開口端の口径を小さくすることができるように構成されていることを特徴とするネックウォーマー。【選択図】  図３
0003105271.tif 000002
【実用新案登録請求の範囲】
【請求項１】
襟巻或いは擬似襟としても、ヘアバンド或いはイヤウォーマーとしても、帽子としても使用することができる多目的なネックウォーマーであって、上下が開口された全長に渡って略同一の径を有する筒状の本体を有し、該本体は、少なくとも開口部方向への伸縮性を有する材料からなり、且つ、該筒状の本体の少なくとも一方の輪状の開口端の近傍に、該開口端の全周に沿って連続した紐状の部材が移動可能な状態に設けられており、該紐状部材は、筒状の本体の開口径の大きさを維持でき、且つ該紐状部材によって輪状の開口端の口径を小さくすることができるように構成されていることを特徴とする多用途ネックウォーマー。
【請求項２】
前記伸縮性を有する材料が、毛糸の編物であって、該編物が、２以上の段数の輪状の表編みからなる略同一の幅を有する表編み層と、２以上の段数の輪状の裏編みからなる略同一の幅を有する裏編み層とからなるパターンを、５パターン以上有する層状模様の筒状の編物であって、且つ、上記各層の５箇所以上に、上記のそれぞれの段数よりも少ない段数の表編みからなる部分が設けられている請求項１に記載の多用途ネックウォーマー。
【請求項３】
前記伸縮性を有する材料が、フリース素材又はジャージ素材である請求項１に記載の多用途ネックウォーマー。
【請求項４】
前記本体の一方の輪状の開口端が内側に折り返されて縫合されて紐状部材の収納部が形成されており、該収納部に紐状部材が挿入されて輪状の開口端に巻き回された状態で配置され、且つ該紐状部材の両端部が本体の外側に所定の長さ引き出された状態である請求項１〜３のいずれか１項に記載の多用途ネックウォーマー。
【請求項５】
紐状部材の一部に、輪状の開口端の口径を小さくした状態で保持することができる留め具が設けられている請求項１〜４のいずれか１項に記載の多用途ネックウォーマー。
【考案の詳細な説明】
【技術分野】
【０００１】
本考案は、多用途ネックウォーマーに関し、更に詳しくは、襟巻や擬似襟としても、ヘアバンドやイヤウォーマーとしても、帽子としても使用することができる多目的な多用途ネックウォーマーに関する。
【背景技術】
【０００２】
近年、従来より用いられている保温性に優れる材料からなる長尺の襟巻（以下、マフラーと呼ぶ）に代えて、着脱自在な襟としても機能する保温性に優れる材料からなる筒状の襟巻（以下、ネックウォーマーと呼ぶ）が開発され、使用され始めている。ネックウォーマーは、従来のマフラーと同様に襟元の保温性を確保するという機能的な役割を担うと同時に、種々の材料のものやデザインのものが作られるようになるにつれて、衣装に付随する重要な装飾品としても注目されてきている。
【考案の開示】
【考案が解決しようとする課題】
【０００３】
本考案の目的は、上記したネックウォーマーに更なる機能を付加し、多目的な用途に使用することができる実用価値の高い製品を提供することにある。
【課題を解決するための手段】
【０００４】
上記の目的は以下の本考案によって達成される。即ち、本考案は、襟巻或いは擬似襟としても、ヘアバンド或いはイヤウォーマーとしても、帽子としても使用することができる多目的なネックウォーマーであって、上下が開口された全長に渡って略同一の径を有する筒状の本体を有し、該本体は、少なくとも開口部方向への伸縮性を有する材料からなり、且つ、該筒状の本体の少なくとも一方の輪状の開口端の近傍に、該開口端の全周に沿って連続した紐状の部材が移動可能な状態に設けられており、該紐状部材は、筒状の本体の開口径の大きさを維持でき、且つ該紐状部材によって輪状の開口端の口径を小さくすることができるように構成されていることを特徴とする多用途ネックウォーマーである。
【０００５】
その好ましい実施形態としては、上記構成において、上記伸縮性を有する材料が、毛糸の編物であって、該編物が、２以上の段数の輪状の表編みからなる略同一の幅を有する表編み層と、２以上の段数の輪状の裏編みからなる略同一の幅を有する裏編み層とからなるパターンを、５パターン以上有する層状模様の筒状の編物であって、且つ、上記各層の５箇所以上に、上記のそれぞれの段数よりも少ない段数の表編みからなる部分が設けられている多用途ネックウォーマーが挙げられる。又、より具体的な例としては、上記構成において、本体が、２、４、６、８、１０、１２から選ばれる段数の輪状の表編みからなる略同一の幅を有する表編み層と、２、４、６、８、１０、１２、１４、１６から選ばれる段数の輪状の裏編みからなる略同一の幅を有する裏編み層とからなるパターンが、繰り返されて形成された、８〜１５から選ばれるパターン数の層状模様を有する筒状の毛糸の編物であって、且つ、該層状模様を形成している各層の７〜１５から選ばれる目毎の同一の位置に各層を形成している表編み及び裏編みのそれぞれの段数を１／２に減少してなる表編みの部分が設けられた、層状模様を垂直に横切る直線模様が形成されている多用途ネックウォーマーが挙げられる（図１参照）。
【０００６】
又、本考案の別の実施形態としては、上記構成において、前記伸縮性を有する材料が、フリース素材又はジャージ素材であるものが挙げられる。特にこの場合には、本体の一方の輪状の開口端が内側に折り返されて縫合されて紐状部材の収納部が形成されており、該収納部に紐状部材が挿入されて輪状の開口端に巻き回された状態で配置され、且つ該紐状部材の両端部が本体の外側に所定の長さ引き出された状態にすることが好ましい。更には、上記したいずれかの構成において、紐状部材の一部に、輪状の開口端の口径を小さくした状態で保持することができる留め具が設けられている多用途ネックウォーマーが挙げられる。
【考案の効果】
【０００７】
以上の如き本考案によれば、従来のネックウォーマーを、襟巻或いは擬似襟としても、ヘアバンド或いはイヤウォーマーとしても、更には帽子としても使用することができる多目的な用途に使用できる製品とすることができ、その実用価値を格段に向上させた製品とすることができる。
【考案を実施するための最良の形態】
【０００８】
次に、考案を実施するための最良の形態を挙げて、本考案を更に詳細に説明する。本考案者は、ネックウォーマーを作製する場合に、柔軟性があり、特に、少なくとも開口部方向に対して適度の伸縮性が確保された材料で、高さが２０ｃｍ程度の同一径を有する筒状のものを作り、該筒状の製品の一方の開口端の周辺に紐を通し、該紐を引張ることで開口端を絞って開口径を小さくできるように構成すれば、ネックウォーマーとしての使用に加えて、ヘアバンド或いはイヤウォーマーとしても、更には帽子としても使用することができる多目的な製品が得られることを見いだして本考案に至った。
【０００９】
以下、添付図面を参照して本考案を更に詳細に説明する。図３は、本考案のネックウォーマーの使用状態を示した概略斜視図である。図３の（ａ）は、襟巻或いは擬似襟として使用している様子を示し、（ｂ）は、ヘアバンド或いはイヤウォーマーとして使用している様子を示し、（ｃ）は、帽子として使用している様子を示す。
【００１０】
本考案にかかる多用途ネックウォーマー（以下、単にネックウォーマーという）は、図１（ａ）に示したように、本体１は、上下が開口した略同一の太さの筒状をしているが、先ず、その開口部から頭を入れて首の部分まで引き下げて、肩に乗せて保持した状態とすれば（図３の（ａ）参照）、首の周囲を保温するための襟巻として利用できる。又、本考案にかかるネックウォーマーは、その形成材料や、施す模様を種々に変化させることで、多様な意匠性の高い製品とすることができるため、着用する洋服に合わせたものを適宜に選択することで、擬似襟として使用することもできる。このため、本考案にかかるネックウォーマーは、保温具であると同時に、装身具としても実用価値の高い製品である。
【００１１】
又、本考案にかかるネックウォーマーは、少なくとも開口部方向に対して適度の伸縮性を有する筒状の製品であるため、図３（ｂ）に示したような状態で頭の部分に保持すれば、ヘアバンド或いはイヤウォーマーとしても利用できる。特に、例えば、上記で説明した図３（ａ）に示した状態から、一方の開口部を持って顔から頭の方向に引き上げる動作をし、本考案のネックウォーマーを首の部分から頭の部分まで持ち上げると、前髪を簡単に上げることができる（図３の（ｂ）参照）。このため、洗顔や化粧の際に使用する、前髪を上げておくためのヘアバンドとして便利に使用できる。更に前記したように、本考案にかかるネックウォーマーは、意匠性の高い多様な製品とできるため、勿論、髪型にアクセントを付けるための装飾品のヘアバンドとしての利用も、風の強い日に髪が乱れるのを防止し、髪をまとめる目的のヘアバンドとしても使用できる。又、特に保温性の高い材料で形成すれば、自転車やバイク等に乗る場合や、運動の際に用いるイヤウォーマーとしての利用もできる。更に、使用する材質を選べば、旅行や就寝の際に使用するアイマスクとして利用することも可能である（不図示）。本考案にかかるネックウォーマーは、先に説明した襟巻或いは擬似襟としての使用に加えて、上記した多様な使用形態を実現でき、この点からも実用価値の高い製品である。
【００１２】
又、本考案にかかるネックウォーマーは、筒状の本体１の少なくとも一方の輪状の開口端近傍に設けられた紐状部材２によって、開口端の口径を小さくすることができるように構成されているため（図２参照）、図３（ｃ）に示したように、帽子として使用することができる。即ち、該紐状部材２は、図１（ａ）に示したように、開口部の、縁近傍に全周に渡って連続した状態で、水平方向に移動可能な状態に設けられているため、筒状の本体１の開口径の大きさを維持することができる一方、該紐状部材２によって輪状の開口端の口径を小さくすることができる。この結果、図３（ａ）及び（ｂ）の使用状態においては、図１（ａ）に示したように、筒状の本体１の開口径が確保されているため、この開口部から無理なく頭を出し入れできる。更に、この紐状部材２は、筒状の本体１に固定されることなく、開口部の、縁近傍に全周に渡って巻き回されて連続した状態で設けられているため、紐状部材２の両端を引っ張ることで、図２に示したように、開口部の口径は容易に小さくなって帽子形状になる。
【００１３】
紐状部材２を取り付ける方法としては、例えば、形成素材が毛糸の編物のような、大きな編み目が存在するものである場合等においては、図１（ａ）に示したように、この編み目を利用して紐状部材２を開口部の縁近傍に巻き回して、紐状部材２の両端部が本体の外側に所定の長さ引き出された状態とすることが好ましい。その他の方法としては、形成素材が、フリース素材やジャージ素材等である場合には、図４（ａ）に示したように、例えば、袋縫い等の方法で、本体の一方の輪状の開口端を内側に折り返して縫合して紐状部材の収納部を形成し、該収納部に紐状部材２を挿入することで、紐状部材２を輪状の開口端に巻き回した状態で配置し、紐状部材２の両端部を本体の外側に所定の長さで引き出した状態とすることが好ましい。勿論、この輪状の開口端に収納部を形成する方法は、本体を編物で形成した場合にも用いることができる。
【００１４】
図２に示した帽子形状を保持させるためには、開口部の口径を小さくした状態で紐状部材２を結んでもよいが、図１（ａ）に示したように、紐状部材２の端部に、ビーズ等からなる留め具３を設けた形態とすれば、該留め具３によって、本考案にかかるネックウォーマーの形状を、一方の輪状の開口端の口径を小さくしてなる帽子形状の状態に、より簡便に保持させることができる（図３（ｃ）参照）。更に、留め具３の形状によっては、本考案にかかるネックウォーマーの意匠性をより高めることも可能となる。
【００１５】
以上説明したように、本考案にかかるネックウォーマーは、襟巻或いは擬似襟としても、ヘアバンド或いはイヤウォーマーとしても、アイマスクとしても、更には帽子としても使用することができるものであるため、通常の家庭生活において便利に使用することができることは勿論、特に、旅行や外出の際に携帯すれば、一つの製品で、種々の事態に対応可能であるため、非常に便利である。
【００１６】
本考案にかかるネックウォーマーは、図１（ａ）に示したように、上下が開口した筒状をしており、その本体１の材質としては特に限定されないが、図３（ａ）及び（ｃ）のような使用態様で着用した場合には保温性や、柔軟性等の心地よい風合いが必要となる。又、これと同時に、図３（ｂ）のような態様で利用した場合には、髪をしっかりと押えるヘアバンドとして機能し、又、図３（ｃ）のような態様で利用した場合に、頭から容易に落ちることなく帽子として使用することができるだけの伸縮性を有することが必要となる。上記したような特性を全て有する材料としては、例えば、毛糸の編物が挙げられる。毛糸の編物は、保温性が高く、柔軟性と風合いに優れ、縦横に適度の伸縮性のある材料である。ここで言う毛糸とは、羊毛等の獣毛を紡績してなるものは勿論、これらと化学繊維との混紡品、更には、化学繊維のみからなるもの等を含む。又、モヘヤやリボンヤーン等の変わり糸を用いた編物とすれば、意匠性を向上させることができる。毛糸の太さも限定されることなく、保温性や意匠性等を考慮して適宜に選択すればよい。更に、これらの素材の異なる複数種類のものを用いて編物を形成すれば、多様な、よりデザイン性に優れた製品の提供が可能となる。
【００１７】
その他、例えば、フリース素材やジャージ素材等で作成したものも好適である。これらの素材は、伸縮性を有し、柔らかくて保温性に優れ、しかも安価であるという利点があり、経済性に優れる製品を提供できる。図４は、本考案にかかるネックウォーマーをこれらの素材で形成した場合の模式概略図である。紐状部材２を引っ張ることで、図４（ａ）のように筒状であったものが、図４（ｂ）に示したようにな形状となる。
【００１８】
本考案にかかるネックウォーマーを、襟巻或いは擬似襟としても、ヘアバンド或いはイヤウォーマーとしても、アイマスクとしても、更には帽子としても良好に使用でき、しかもデザイン性に優れた製品とするためには、毛糸を用い、図１（ｂ）に示したような方法で編んだ製品とすることが好ましい。即ち、図１（ｂ）は、図１（ａ）に示した筒状の本体１の部分拡大図であるが、この例では、本体１は、６段の裏編みからなる層５と、４段の表編みからなる層４が繰り返された、全部で１１の層からなる層状模様を有する。更に、図１に示した製品の例では、層状模様を形成している各層のそれぞれ９箇所の同一の位置に、各層を構成している目数を１／２に減少させた表編みからなる部分６が設けられている。即ち、６段の裏編みからなる各層５の部分においては、目数を３段に減らして１目表編みがされた部分６があり、又、４段の表編みからなる各層４の部分においては、目数を２段に減らして１目表編みがされた部分６が、直線状に並んでいる（図１（ｂ）参照）。上記の構成からなる筒状の編物は、裏編みと表編みが層状に繰り返されているため、筒状本体の上下の開口部方向に対して（図１の矢示方向）伸縮性を有するものとなるが、更に、各層を構成している編み目の数を半分にしてなる層６の存在によって、筒状本体の上下の開口部方向への伸びが適度に制限されたものとなる。
【００１９】
このため、本考案にかかるネックウォーマーは、開口部から頭を出し入れする場合や、ヘアバンドや帽子として使用した場合に適度の伸縮性が発揮されて良好な状態で使用できる一方、使用後に、開口部方向に伸びきった状態とならず適度に縮むため、繰り返し使用しても形崩れすることがない。従って、常に、良好な状態で、襟巻或いは擬似襟として、ヘアバンドとして、帽子として使用することができ、多様な使用形態を実現できる。
【００２０】
本考案にかかるネックウォーマーは、上記した作製方法に限定されるわけではなく、使用する毛糸の太さや材質によって、上記した裏編みと表編みの段数を適宜に変更して作製することができる。その際には、ゲージを作って、伸縮性や柔軟性等の点において最適な状態となるように、段数や目数を設計すればよい。例えば、中細や並太として市販されている毛糸を用いた場合に、輪状の表編みからなる略同一の幅を有する層４の段数を、２〜１２から選ばれる段数とし、輪状の裏編みからなる略同一の幅を有する層５を、２〜１６から選ばれる段数とし、これらの層からなるパターンを繰り返して８〜１５から選ばれるパターン数の層状模様を有する筒状の毛糸の編物とし、且つ、層状模様を形成している各層の同一箇所に、各層を形成しているそれぞれの段数を１／２に減少してなる表編みの部分６を設けたものとしても、上記したと同様のものが得られる。この場合上記表編みの部分６は、層状模様を垂直に横切る直線模様となるように、各層の該当する段に７〜１５目毎に表編みの部分を設ければよい。
【００２１】
本考案にかかるネックウォーマーは、例えば、上記のような方法で形成できるが、使用する伸縮性材料は、毛糸素材に限らず、フリース素材やジャージ素材で本体を形成したものを含み、又、そのサイズも特に限定されない。しかし、筒状の本体の開口部の大きさとしては、使用する材料の伸縮性の程度にもよるが、図１（ａ）に示した状態で使用した場合に、窮屈な感じを受けることがなく、且つ、襟巻として機能するように首との距離が大きくなり過ぎないように、例えば、開口の周囲の長さが少なくとも首回りの長さよりも若干長くなるように作製することが好ましい。更には、使用する材料の伸縮性の程度にもよるが、開口部から無理なく人の頭を出し入れすることができる大きさとすることが好ましい。例えば、製品を平らに置いた状態でのでき上がりの寸法が、開口端の長さ（図１（ａ）の横方向の長さ）が２０〜３０ｃｍ程度となるようにすることが好ましい。更に、上下にある開口端までの長さ（図１（ａ）の縦方向の長さ）も、使用する材料の太さや伸縮性の程度にもよるが、首の長さよりも長くして、例えば、でき上がりの寸法が１０〜２５ｃｍ程度となるようにすることが好ましい。
【００２２】
本考案にかかるネックウォーマーは、図１（ａ）に示したように、上記したような筒状の本体の少なくとも一方の輪状の開口端の近傍に、該開口端の全周に沿って連続しており、且つ移動可能な状態で設けられた紐状の部材を有する。この紐状部材は、いずれの材料からなるものであってもよいが、その意匠性から、例えば、布製や皮製のリボン用テープや、本体と同様の材料からなる編紐を用いることが好ましい。その紐状部材の長さは、開口端の全周に沿って連続して設けた状態で、図１（ａ）に示したように、少なくとも筒状の本体の開口部の開口径が確保できるような長さとすることが好ましい。紐状部材の太さ（幅）は、紐状部材を引っ張って、図２に示したように開口端の口径を縮めて帽子形状とした場合に、その縮めた部分が大き過ぎることなく、帽子として意匠性に優れたものとなるように、適度に決定した太さとすればよい。
【産業上の利用可能性】
【００２３】
以上の如き本考案によれば、従来のネックウォーマーを、襟巻或いは擬似襟としても、ヘアバンド或いはイヤウォーマーとしても、更には帽子としても使用することができる多目的な、実用価値が格段に向上された製品が提供される。又、本考案によれば、毛糸やフリース素材やジャージ素材等の多様な材料で容易に作成できるため、デザイン性及び経済性に優れた製品が提供される。
【図面の簡単な説明】
【００２４】
【図１】本考案のネックウォーマーの一例の概略斜視図である。
【図２】図１に示したネックウォーマーの形態を変化させた状態を示す概略斜視図である。
【図３】ネックウォーマーの使用状態を示す概略斜視図である。
【図４】本考案のネックウォーマーの別の例の概略斜視図である。
【符号の説明】
【００２５】
１：筒状の本体
２：紐状部材
３：留め具
４：表編み
５：裏編み
６：目数の少ない表編み
【図１】
0003105271.tif 000003
【図２】
0003105271.tif 000004
【図３】
0003105271.tif 000005
【図４】
0003105271.tif 000006